(57)【特許請求の範囲】
【請求項１】
机と、本体部の上位にワゴン天板を含む昇降可能な可動部を有するワゴンデスクとの組合せ家具において、引出しとそれを前後引き出し可能に収容する箱体とからなる引出し体を、机の天板の下面と、ワゴンデスクの上昇させた可動部と本体部との間であって該可動部の下面との何れか一方に、同一取付手段にて互いに付け替え可能に取付けてなることを特徴とする机とワゴンデスクとの組合せ家具。
【請求項２】
前記取付手段として、前記引出し体には、箱体の両側前後に上方へ頭付きピンを突設するとともに、該箱体の後端に上方へ突出する方向に弾性付勢したラッチを設け、前記机の天板の下面及びワゴンデスクの可動部の下面には、前記頭付きピンと対応する位置に該ピンを下方から挿入し且つ後方へスライドさせることにより係止し得る止め穴を形成するとともに、前記頭付きピンが止め穴に係止すると同時に前記ラッチが係合して箱体の前方移動を規制する係止部を設けてなる請求項１記載の机とワゴンデスクとの組合せ家具。
【請求項３】
前記ワゴンデスクの可動部が本体部の後部両側から板面を前後方向に配向して立ち上がった昇降機構の偏平支持部材によって昇降可能に支持され、前記引出し体の箱体の両側後部に該支持部材を受入れる後方開放したスリットが形成されている請求項１又は２記載の机とワゴンデスクとの組合せ家具。
【請求項４】
前記ワゴンデスクの可動部が、ワゴン天板の下面側に上段引出しを設けたものである請求項１〜３何れかに記載の机とワゴンデスクとの組合せ家具。
【発明の詳細な説明】
【０００１】
【発明の属する技術分野】
本発明は、机とワゴンデスクとの組合せ家具に係わり、更に詳しくは引出し体を机とワゴンデスクとの間で付け替え可能となし、多様な使用態様を実現できる机とワゴンデスクとの組合せ家具に関する。
【０００２】
【従来の技術】
従来、移動可能なワゴンデスクは、本体部に多段に引出しが設けられ、机の天板下面下に配設して袖付きの机を構成し、又は机の側部に設置して脇机として利用されており、学童用の学習机においてはこの種の分離型のものが昨今の主流となっている。つまり、この種のワゴンデスクは机と組合せて使用することを前提としている。しかし、ワゴンデスクのワゴン天板の高さを机の天板下面下に収容できるような低い状態に固定したものでは、机の側部に配設して脇机として利用する場合には、ワゴン天板の高さが低過ぎて、通常の用途では使い勝手が悪いといった欠点がある。
【０００３】
そのため、ワゴンデスクのワゴン天板の高さを、机の天板下面下に配設できるような低い状態と、机の側部に配設して脇机として利用できるように、机天板と同一高さの高い状態との二段階に設定できるように、本体部の上位に昇降機構を介して昇降可能にワゴン天板を設けた構造のものが提供されるに至った。
【０００４】
一方、机の天板下面には、通常左右に引出しが設けられており、このような机の天板下面下であって引出しの下方にワゴンデスクを配設できるように、ワゴン天板の高さを制限している。この場合、体格が小さい子供のときは机の引出し下方の足入れ空間が十分広く、膝が引出しに当たることはないが、子供の成長につれて引出しに膝が当たるようになり、十分な広さの足入れ空間が確保できないといった問題が生じる。また、ワゴンデスクにおいては、机の側部に配置してワゴン天板を机天板と略同じ高さまで上げると、本体部とワゴン天板との間に大きな空間が形成され、外観的にも見苦しく、またこの空間がデットスペースになっていた。
【０００５】
【発明が解決しようとする課題】
そこで、本発明が前述の状況に鑑み、解決しようとするところは、机と、本体部の上位にワゴン天板を含む昇降可能な可動部を有するワゴンデスクとの組合せ家具において、子供の成長に応じて引出し体を机とワゴンデスクとの間で付け替え可能となして多様な使用態様を実現でき、従来の机における足入れ空間の問題とワゴンデスクにおける外観性とデットスペースの問題を一挙に解消した机とワゴンデスクとの組合せ家具を提供する点にある。
【０００６】
【課題を解決するための手段】
本発明は、前述の課題解決のために、机と、本体部の上位にワゴン天板を含む昇降可能な可動部を有するワゴンデスクとの組合せ家具において、引出しとそれを前後引き出し可能に収容する箱体とからなる引出し体を、机の天板の下面と、ワゴンデスクの上昇させた可動部と本体部との間であって該可動部の下面との何れか一方に、同一取付手段にて互いに付け替え可能に取付けてなる机とワゴンデスクとの組合せ家具を構成した。
【０００７】
具体的には、前記取付手段として、前記引出し体には、箱体の両側前後に上方へ頭付きピンを突設するとともに、該箱体の後端に上方へ突出する方向に弾性付勢したラッチを設け、前記机の天板の下面及びワゴンデスクの可動部の下面には、前記頭付きピンと対応する位置に該ピンを下方から挿入し且つ後方へスライドさせることにより係止し得る止め穴を形成するとともに、前記頭付きピンが止め穴に係止すると同時に前記ラッチが係合して箱体の前方移動を規制する係止部を設けてなるのである。
【０００８】
また、前記ワゴンデスクの可動部が本体部の後部両側から板面を前後方向に配向して立ち上がった昇降機構の偏平支持部材によって昇降可能に支持され、前記引出し体の箱体の両側後部に該支持部材を受入れる後方開放したスリットが形成されていることが好ましい。
【０００９】
更に、前記ワゴンデスクの可動部が、ワゴン天板の下面側に上段引出しを設けたものであるとより好ましい。
【００１０】
【発明の実施の形態】
次に添付図面に示した実施形態に基づき更に本発明の詳細を説明する。図１は本発明に係る机１とワゴンデスク２との組合せ家具に更に上棚３を組合せた場合における体格が大人に近いときに使用する態様、図２は体格が小さいときに使用する態様、図３〜図７は机１に引出し体４を取付ける場合、図８〜図１１はワゴンデスク２に引出し体４を取付ける場合の詳細をそれぞれ示している。
【００１１】
本発明に係る机１は、机天板５を両脚板６，６に固定した後部の固定天板５Ａと前部の昇降天板５Ｂとに分割し、該昇降天板５Ｂを固定天板５Ａと上面が面一の低い状態（図１の状態）と斜め後方へ下がって後縁部が固定天板５Ａの下面下に位置する低い状態（図２の状態）とに設定し得る構造である。
【００１２】
ここで、前記脚板６の上部前縁を下方になるにつれて斜め後方へ後退した傾斜縁７となし、前記昇降天板５Ｂの後縁を該傾斜縁７に沿って昇降可能としている。また、前記昇降天板５Ｂの奥行幅は固定天板５Ａの奥行幅よりも大きく設定し、本実施形態では昇降天板５Ｂの奥行幅を約５０ｃｍ、固定天板５Ａの奥行幅を約１５ｃｍに設定している。更に、前記両脚板６，６間であって前記固定天板５Ａの下面下に、低い状態の昇降天板５Ｂと上面が面一になる下棚板８を渡設している。
【００１３】
また、前記ワゴンデスク２は、前面開放した箱状の本体部９に上下二段に下段引出し１０，１０を設け、該本体部９の上位に昇降機構（後述する）によって支持された可動部１１を有している。この可動部１１は、ワゴン天板１２とその下方にワゴン天板１２とともに昇降する偏平な上段引出し１３を設けた構造である。更に、前記本体部９と上段引出し１３との間には、前記昇降天板５Ｂの下面との間で付け替え可能な引出し体４を装着できる構造のものである。尚、図２に示すように、前記昇降天板５Ｂを低い状態にした場合に、前記引出し体４を外して本体部９の上位に上段引出し１３を密着させれば、前記昇降天板５Ｂの下方にワゴンデスク２を配設できる。そして、取り外した引出し体４は、前記昇降天板５Ｂの下面に取付けることができる。
【００１４】
また、前記上棚３は、前記机１の背面に下部を着脱自在且つ高さ調節可能に取付けて固定天板５Ａの後端から上方へ立ち上がったパネル１４と、該パネル１４の前面上部に上下に取付位置を変更可能に取付けた棚体１５とからなり、前記棚体１５は前記パネル１４に取付ける両側の側板１６，１６の下端間に渡設した上棚板１７を有し、該上棚板１７の前縁には仕切板１８を嵌着できるようになっている。また、前記上棚板１７の下面には照明装置１９が取付けられている。
【００１５】
ここで、図１は、机１に対して前記パネル１４を最も高い位置に取付けるとともに、該パネル１４に対して棚体１５を最も高い位置に取付けた状態であり、図２はパネル１４と棚体１５とを共に最も低い位置に取付けた状態である。この図１に示した状態において、机天板５の下方には引出し体４がないので、足入れ空間を広く確保でき、体格が大きな子供あるいは大人が座った場合にも膝が当たることがない。また図２に示した状態において、机天板５の下面下に引出し体４を取付けても十分に足入れ空間を確保できる上に、該引出し体４及びワゴンデスク２の下段引出し１０，１０、上段引出し１３に容易に手が届き、更に前記固定天板５Ａは中間の棚板として、その上面に書籍や他の物品を載置することが可能であり、体格の小さい子供でも、椅子に座ったまま固定天板５Ａに載置した書籍等は勿論、上棚板１７に載置した書籍等にも手が届くようになっている。
【００１６】
次に、図３〜図７に基づき本発明に係る引出し体４の具体構造及び机天板５への取付手段を詳細に説明する。前記引出し体４は、引出し２０とそれを前後引き出し可能に収容する箱体２１とからなる。引出し２０は、通常の構造のものであり、前板２２の後部に上方開放した収容部２３を有し、該収容部２３を形成する両側面板２４，２４の外面に沿って案内溝２５を形成したものである。また、前記箱体２１は、スチール板を折曲形成した底板２６と両側の側壁板２７，２７及び後端の後壁板２８を有し、両側壁板２７，２７の外面側に合成樹脂製の化粧板２９をそれぞれ固定したものである。そして、前記化粧板２９の上端面の前後部には頭付きピン３０，３０を突設するとともに、前記後壁板２８の背面中央部には上方へ突出する方向に弾性付勢したラッチ３１を設けている。また、前記両側壁板２７，２７の内面側にはそれぞれ前記案内溝２５にスライド可能に係合する合成樹脂製のレール３２を突設している。
【００１７】
前記ラッチ３１は、図４に詳しく示すように、取付基板３３の中央部に設けた縦溝３３Ａ内にラッチ部材３４を配し、該ラッチ部材３４の両側に突設した縦方向の鍔縁３４Ａ，３４Ａをそれぞれ保持部材３５のガイド溝３５Ａで上下スライド可能に保持し、前記取付基板３３の縦溝３３Ａの下部に突設した当止片３３Ｂをラッチ部材３４の前面側に形成した縦長凹部３４Ｂ内に位置させるとともに、該当止片３３Ｂと縦長凹部３４Ｂの上端面との間に圧縮コイルばね３６を介装して、ラッチ部材３４を上方へ弾性付勢したものであり、前記箱体２１の後壁板２８の背面には、前記取付基板３３と両保持部材３５，３５とを貫通させたボルト・ナット３７で取付けている。また、前記ラッチ部材３４の上端部の係合爪３４Ｃは前面側が垂直面で後面側が傾斜面となっており、更にラッチ部材３４の下端に形成した把手部３４Ｄを持って下げれば前記係合爪３４Ｃが後壁板２８の上端から引っ込めることができる。
【００１８】
そして、前記机天板５（昇降天板５Ｂ）の下面の引出し体４を取付ける位置には、両側に一定間隔を設けて一対の取付金具３８，３８をネジ止め固定している。この取付金具３８は、机天板５の下面と取付板３８Ａとの間に、前記頭付きピン３０の頭部を受入れる空間を形成すべく両側に脚片３８Ｂ，３８Ｂが突設されており、一方、対応する机天板５の下面には両脚片３８Ｂ，３８Ｂを嵌合する浅い取付溝３９が形成されている。そして、前記取付金具３８の取付板３８Ａの前後部には、前記頭付きピン３０，３０と対応する位置に該ピンを下方から挿入し且つ後方へスライドさせることにより係止し得る止め穴４０，４０を形成している。つまり、この止め穴４０の形状は、前記頭付きピン３０の頭部を挿入する前方の大径穴と、頭部が係止する後方の小径穴を連通させたものであり、いわゆるヒョウタン穴若しくはダルマ穴と呼ばれているものである。また、前記頭付きピン３０が前記止め穴４０に係止すると同時に、前記ラッチ３１が係合して前記箱体２１の前方移動を規制する係止部４１を対応する机天板５の下面に形成している。ここで、机天板５の係止部４１としては、前記ラッチ部材３４の係合爪３４Ｃを係入する凹部４１Ａである。
【００１９】
次に、図８〜図１１に基づき本発明に係る引出し体４の具体構造及びワゴンデスク２の可動部１１への取付手段を詳細に説明するが、引出し体４は前述のものと同一であり、また取付手段の基本的構造は同一であるので、相違する部分のみ説明し、前記同様の構成には同一符号を付してその説明は省略する。
【００２０】
前記ワゴンデスク２は、本体部９を構成するフラッシュボード構造からなる両側板４２，４２内に昇降機構を組み込んでいる。この昇降機構は、前記側板４２の後部内面側の表面板を切り欠いて縦溝を形成し、該縦溝内にガイド金具４３を固定し、該ガイド金具４３の上下貫通した偏平なガイド穴４３Ａに偏平な板状の支持部材４４を内挿し、該支持部材４４の下部両側上下に設けたガイドローラ４４Ａ，…にてスムーズに上下移動するようにし、該支持部材４４の上端に前記ワゴン天板１２を固定したものである。そして、前記支持部材４４の内側に沿ってワゴン天板１２の下面側から下方へ延びたレバー部材４５を配し、該レバー部材４５の上下中間部を該支持部材４４に枢支するとともに、レバー部材４５の先端にＬ字形のストッパー４５Ａを前記ガイド金具４３に貫通した係止孔４３Ｂに係合し、上下に所定の間隔を設けて形成した複数の前記係止孔４３Ｂ，…の何れかを選択することによって前記可動部１１を所定の高さに固定するのである。
【００２１】
即ち、前記ワゴンデスク２の可動部１１が本体部９の後部両側から板面を前後方向に配向して立ち上がった昇降機構の偏平支持部材４４，４４によって昇降可能に支持されている。そして、前記引出し体４の箱体２１の両側後部には、図３及び図８に示すように、該支持部材４４を受入れる後方開放したスリット４６が形成されている。このスリット４６は、前記化粧板２９の後部の接合面側の一部を切欠して薄肉部２９Ａを形成し、前記側壁板２７との間に形成されている。
【００２２】
前記ワゴン天板１２の下面両側には、前記支持部材４４の上端にＬ字状に固定された支持ブラケット４７が取付けられ、該支持ブラケット４７の前部にはカバー部材４８が固着され、前記上段引出し１３は両支持ブラケット４７，４７に内方に突設したレール板４７Ａ，４７Ａに前後スライド可能に載支されている。また、前記カバー部材４８と支持部材４４との間には前記レバー部材４５の前方へ屈曲して延びたハンドル部４５Ｂが位置し、該ハンドル部４５Ｂを持ち上げると、前記ストッパー４５Ａが前記係止孔４３Ｂから抜けて、可動部１１の昇降動作が可能となる。
【００２３】
そして、前記引出し体４をワゴンデスク２の可動部１１へ取付ける構造は、前記カバー部材４８の下面前後部に前記止め穴４０と同じ止め穴４９，４９を形成し、前記箱体２１の両側部の前後部に突設した頭付きピン３０，…をそれぞれ対応する止め穴４９，…の大径穴に挿入した後、箱体２１を後方へ移動させて頭付きピン３０の頭部を止め穴４９の小径穴に係止すると同時に、前記ラッチ３１を構成するラッチ３１の係合爪３４Ｃが両支持部材４４，４４間の後方に連結した平面視コ字形の後カバー部材５０の背面に係止するのである。この場合、前記係止部４１は、後カバー部材５０の背面４１Ｂとなる。
【００２４】
本実施形態では、前記前側のカバー部材４８，４８と、後カバー部材５０及び支持ブラケット４７，４７とで、前記上段引出し１３を収容する空間を取り囲んでいるが、これらは一体のものであっても良い。
【００２５】
また、前記ワゴンデスク２の使用方法として、ワゴン天板１２の上面後部にパーソナルコンピュータのモニター部分を含む本体制御部を載置し、ワゴン天板１２の上面前部にキーボードを載置して使用することが考えられるが、この場合、マウスを操作するための余裕の空間がなくなるが、前記上段引出し１３は、ワゴン天板１２よりもやや下方に位置し、手前に引き出すことができるので、図１２に示すように上段引出し１３を引き出した状態でその両側板１３Ａ，１３Ａ間にマウスボード５１を載置して使用することができる。このマウスボード５１には、下面両側にＬ字形の合成樹脂製の規制片５２，５２を突設してあり、この規制片５２，５２が前記側板１３Ａ，１３Ａの内面に当止して横ズレを規制するのである。
【００２６】
本実施形態の机１は、机天板５の前部の昇降天板５Ｂが上下に昇降するようになっているので、ワゴンデスク２のワゴン天板１２の昇降と、引出し体４の付け替えとの組合せで多様な態様が実現できるのであり、机１の側部にワゴンデスク２を配置したものであるがその一例を図１３〜図１６に示している。
【００２７】
図１３は、机１の高い状態にある昇降天板５Ｂの下面に引出し体４を取付け、ワゴンデスク２のワゴン天板１２を机天板５と同一高さに設定した態様である。図１４は、ワゴンデスク２の可動部１１の下面に引出し体４を取付け、ワゴン天板１２を机天板５と同一高さに設定した態様であり、高い状態にある昇降天板５Ｂの下方には足入れ空間が広く形成され、体格が大きい子供あるいは大人が使用するのに適している。図１５は、図１４の状態からワゴンデスク２の引出し体４を含めた可動部１１を下方に下げて引出し体４を本体部９に密着させた態様であり、この場合ワゴン天板１２の高さは机天板５の高さよりも若干低くなるので、ワゴン天板１２の上面にパソコンを載置して使用するのに適し、また本体部９と可動部１１、即ち引出し体４との間に空間がないので外観性に優れている。図１６は、図１５の状態から机１の昇降天板５Ｂを低い状態にして下棚板８と同一高さに設定した態様であり、体格が小さい子供が昇降天板５Ｂを使用するのに適しており、また固定天板５Ａを中棚板として使用できる。また、図１６の状態で引出し体４を昇降天板５Ｂの下面に取付けて、ワゴンデスク２の可動部１１を本体部９に密着させた態様にすれば、昇降天板５Ｂとワゴン天板１２とが略同じ高さになって更に子供が使用するのに適したものとなる。
【００２８】
また、前記机１の脚板６を側面視略Ｌ字形とし、その接地杆６Ａの高さを、ワゴンデスク２の本体部９の下面に設けたキャスター９Ａ，…の高さ、即ち床面からの本体部９の下面の高さよりも低くすることによって、該接地杆６Ａを跨いでその上方にワゴンデスク２を配設することも可能であり、ワゴンデスク２の配置に対する自由度が更に大きくなって、机１とワゴンデスク２の組合せ態様が増える。
【００２９】
【発明の効果】
以上にしてなる本発明の机とワゴンデスクとの組合せ家具によれば、机と、本体部の上位にワゴン天板を含む昇降可能な可動部を有するワゴンデスクとの組合せ家具において、引出しとそれを前後引き出し可能に収容する箱体とからなる引出し体を、机の天板の下面と、ワゴンデスクの上昇させた可動部と本体部との間であって該可動部の下面との何れか一方に、同一取付手段にて互いに付け替え可能に取付けてなるので、子供の成長に応じて引出し体を机とワゴンデスクとの間で付け替え可能となして多様な使用態様を実現でき、従来の机天板の下面に引出しを固定した場合における子供の成長時の足入れ空間の問題と、ワゴンデスクにおける本体部とワゴン天板を含む可動部との間の空間による外観性の悪化とデットスペースの問題とを一挙に解消できる。
【図面の簡単な説明】
【図１】机の昇降天板を固定天板と面一となる高い状態に設定し、引出し体を取付けたワゴンデスクを机天板の下面下に配設した使用状態を示す全体斜視図である。
【図２】机の昇降天板を固定天板より低く且つ後退させて低い状態に設定し、引出し体を昇降天板の下面に取付け且つワゴンデスクを机天板の下面下に配設した使用状態を示す全体斜視図である。
【図３】引出し体の構造と机天板への取付構造を示す要部の分解斜視図である。
【図４】引出し体のラッチを示す分解斜視図である。
【図５】引出し体を机天板の下面に取付ける様子を示す部分縦断正面図である。
【図６】同じく部分縦断側面図である。
【図７】同じく要部拡大斜視図である。
【図８】引出し体の構造とワゴンデスクの可動部への取付構造を示す要部の分解斜視図である。
【図９】引出し体をワゴンデスクの可動部の下面に取付ける様子を示す部分縦断正面図である。
【図１０】同じく部分縦断側面図である。
【図１１】ワゴンデスクに引出し体を取付けた状態の全体側面図である。
【図１２】ワゴンデスクの上段引出しにマウスボードを装着する構造を示す斜視図である。
【図１３】本発明の使用態様の第一例を示す簡略正面図である。
【図１４】同じく第二例を示す簡略正面図である。
【図１５】同じく第三例を示す簡略正面図である。
【図１６】同じく第四例を示す簡略正面図である。
【符号の説明】
１  机                    ２  ワゴンデスク
３  上棚                  ４  引出し体
５  机天板                ５Ａ  固定天板
５Ｂ  昇降天板            ６  脚板
７  傾斜縁                ８  下棚板
１０  下段引出し          １１  可動部
１２  ワゴン天板          １３  上段引出し
１４  パネル              １５  棚体
１６  側板                １７  上棚板
１８  仕切板              １９  照明装置
２０  引出し              ２１  箱体
２２  前板                ２３  収容部
２４  側面板              ２５  案内溝
２６  底板                ２７  側壁板
２８  後壁板              ２９  化粧板
２９Ａ  薄肉部            ３０  頭付きピン
３１  ラッチ              ３２  レール
３３  取付基板            ３４  ラッチ部材
３４Ｃ  係合爪            ３４Ｄ  把手部
３５  保持部材            ３６  圧縮コイルばね
３７  ボルト・ナット      ３８  取付金具
３８Ａ  取付面            ３８Ｂ  脚片
３９  取付溝              ４０  止め穴
４１  係止部              ４１Ａ  凹部
４１Ｂ  背面              ４２  側板
４３  ガイド金具          ４３Ａ  ガイド穴
４３Ｂ  係止孔            ４４  支持部材
４４Ａ  ガイドローラ      ４５  レバー部材
４５Ａ  ストッパー        ４５Ｂ  ハンドル部
４６  スリット            ４７  支持ブラケット
４８  カバー部材          ４９  止め穴
５０  後カバー部材        ５１  マウスボード
５２  規制片
【図１】
0003617211.tif 000002
【図２】
0003617211.tif 000003
【図３】
0003617211.tif 000004
【図４】
0003617211.tif 000005
【図５】
0003617211.tif 000006
【図６】
0003617211.tif 000007
【図７】
0003617211.tif 000008
【図８】
0003617211.tif 000009
【図９】
0003617211.tif 000010
【図１０】
0003617211.tif 000011
【図１１】
0003617211.tif 000012
【図１２】
0003617211.tif 000013
【図１３】
0003617211.tif 000014
【図１４】
0003617211.tif 000015
【図１５】
0003617211.tif 000016
【図１６】
0003617211.tif 000017